(57)【要約】      （修正有）【課題】フード着用者の顔面とフードの間の隙間を無くし、毛髪やフケのはみ出しや落下を確実に防止するフードを提供する。【解決手段】装着者の頭部を覆うと共に、顔面を外に出すための開口部５が形成されたフード１において、開口部縁３の内部に弾力性を有する柔軟な素材を封入することにより、開口部縁３を顔面に向かって立体的に形成する。これにより、開口部縁３は顔面の凹凸に関わらず顔面に完全に密着するため、毛髪やフケは開口部縁３と顔面の隙間から漏れ出ること無く、確実に毛髪やフケの落下を防止することができる。【選択図】図１
0003197596.tif 000002
【実用新案登録請求の範囲】
【請求項１】
装着者の頭部を覆って毛髪を被覆し得る、顔面を露出する開口部を有したフードで、顔面と開口部縁の間に隙間を生じさせないようにする目的のため、開口部縁の内部に弾力性を有する柔軟な素材を封入することにより、開口部縁を顔面に向かって立体的に形成することを特徴とするフード
【考案の詳細な説明】
【技術分野】
【０００１】  本考案は、製造中の製品への異物の付着や混入を確実に防止する必要がある施設内、例えば食品工場や製薬工場、また精密機械工場等において、頭皮から抜け落ちた毛髪やフケの落下を確実に防止するために着用するフードに関する。
【背景技術】
【０００２】  食品工場や製薬工場、また精密機械工場等で製品加工に従事する作業者は、毛髪やフケの落下による製造中の製品への異物の付着や混入を確実に防止するために、前頭部から後頭部、およびこめかみから耳の側頭部を覆うフードを着用する。（場合によっては、首から肩口までをも覆うものを着用する場合もある。）このフードには、目や口、鼻を外部に出すための開口部が形成されている。【０００３】  従来のフードの開口部縁には、頭皮から抜け落ちた毛髪やフケのフード外部への落下を防ぐ目的で、顔面への密着度を高めるための伸縮性を有する生地素材による弾性部が設けられている場合が多い。この弾性部を含め、フード開口部縁は生地素材を単に折り返して帯状に設けられているため、厚みは殆ど無い。［例えば、特許文献１を参照］【０００４】  しかしながら、個人差はあるものの顔面の形状は、額からこめかみ、頬さらには顎に至るまでなめらかではなく凹凸があるため、伸縮性を有する生地素材による弾性部の伸縮だけでは凹んだ箇所には対応しきれずに、顔面とフード開口部縁の間に隙間が開いてしまい、その隙間から毛髪が落下して製品への付着や混入が発生するという欠点があった。【０００５】  また、顔面と従来のフード開口部縁の間の隙間を無理に埋めようと試みる場合には、着用するフードの開口部縁の寸法が、着用者の顔面の大きさに対しての適正寸法と比較して小さくなる様に着用することで、顔面に開口部縁をより強く押し付ける必要があり、その際、顔面を開口部縁が強く圧迫し、着用者が痛みを感じて作業に支障をきたしている現状がある。
【先行技術文献】
【０００６】
【特許文献１】特開２００５−１７１４４１号公報
【考案の概要】
【考案が解決しようとする課題】
【０００７】  本考案は、以上のような従来の欠点に鑑み、作業者がフードを着用した際の快適性を損なうこと無く、額からこめかみ、頬さらには顎に至る顔面とフード開口部縁の間の隙間を無くして、毛髪やフケの落下を確実に防止するフードを提供することを目的としている。
【課題を解決するための手段】
【０００８】  上記課題を達成するために、請求項１記載の本考案に係るフードは、開口部縁の内部に弾力性を有する柔軟な素材を封入して顔面に向かって立体型に形成することで、額からこめかみ、頬さらには顎に至る顔面とフード開口部縁を隙間無く密着させ得ることができる点に特徴を有し、当該部分からの毛髪やフケの落下を完全に防止する。
【考案の効果】
【０００９】  以上のように、請求項１記載の本考案に係るフードは、開口部縁の内部に弾力性を有する柔軟な素材を封入して顔面に向かって立体型に形成することで、フードを着用した際に額からこめかみ、頬さらには顎に至る顔面とフード開口部縁を隙間なく密着させるため、当該部分からの毛髪やフケの落下を完全に防止することができる。したがって、食品工場や製薬工場では、作業者の毛髪やフケが製造過程の製品に落下した結果生じる異物混入事故を防止することができる。また、精密機械工場等においても、製品への異物付着を原因とする不良率が下がることで、収益改善に貢献することが可能となる。【００１０】  さらには、本考案に係るフードの開口部縁内部には、顔面に接触した際に異物感を与えない弾力性を有する柔軟な素材が封入されているため、長時間の着用でも作業者は快適に作業を行うことができ、生産性の向上を図ることができる。
【図面の簡単な説明】
【００１１】
【図１】本考案の一実施形態に係るフードの正面図である。
【図２】既存のフードにおける開口部縁と顔面の接触部分のイメージ図である。
【図３】本考案におけるフードの開口部縁と顔面の接触部分のイメージ図である。
【考案を実施するための形態】
【００１２】  以下、本考案の実施の形態を図に基づいて説明する。図１は、本発明の一実施形態に関わるフードの正面図である。図中の１は、生地や不織布等からなるフードの本体であり、作業者の前頭部から後頭部、およびこめかみから耳にわたる側頭部を完全に覆うように構成されている。図中の５は、目や口、鼻を外部に出すための開口部である。図中の３は、伸縮する生地素材からなる開口部縁であり、額からこめかみ、頬さらには顎に至る顔面に密着させることで、開口部縁と顔面の間の隙間からの毛髪落下を防止することを目的とした部分である。
【００１３】  本考案においては、図中３の開口部縁の内部に、顔面に異物感を与えない弾力性を有する柔軟な素材を封入することにより、開口部縁に厚みを持たせて顔側に向かって立体的に形成する。立体的に形成された開口部縁は、フードを装着した作業者の顔面の形状に合わせて柔軟に伸縮し、額からこめかみ、頬さらには顎に至る顔面とフード開口部縁を隙間なく密着させるため、当該部分からの毛髪のはみ出しや落下を確実に防止することができる。
【００１４】  図２においては、従来のフード着用時に、顔面とフードの開口部縁が接触した箇所のイメージを示している。図中６は顔面を表しているが、７のような凹んだ部分、例えばこめかみ等の箇所においては、単に伸縮性を有する素材を折り返して形成された従来のフード開口部縁［図中８］では対応できずに隙間が開いてしまい、その箇所から毛髪がはみ出したり、落下したりしてしまう。
【００１５】  それに対して、図３においては本考案のフード着用時の顔面と、開口部縁の接触箇所をイメージしている。図中３は弾力性を有する柔軟な素材を封入して厚みを持たせることで、顔側に向かって立体的に成形したフード開口部縁である。この本考案における開口部縁は顔面の凹凸に対して柔軟に形状を変化させるため、顔面との間に隙間を作らず、効果的に毛髪やフケの落下を防止することが可能である。
【００１６】  なお、図１において、２は任意で設けられるフードのツバ部である。また４は、マスクの紐を引っ掛けるためのマスク止であり、この設置も任意である。
また、図示しないがフード着用者の首から肩、さらには胸までを覆うケープを設けることも任意である。
【産業上の利用可能性】
【００１７】  本考案は、毛髪やフケの落下防止を目的とするフードに利用される。
【符号の説明】
【００１８】１  フード本体
２  ツバ
３  本考案における立体に成形された開口部縁
４  マスク止
５  開口部
６  顔面
７  顔面と従来のフード開口部縁の間の隙間
８  従来のフードの開口部縁
【図１】
0003197596.tif 000003
【図２】
0003197596.tif 000004
【図３】
0003197596.tif 000005